(57)【要約】【課題】人気がある（面白い）カメラ運営サイトを見逃すことがないカメラ運営サイトの人気順表示装置およびカメラ運営サイトの人気順表示方法を提供することを目的とするものである。【解決手段】直近の時間帯において、１つのカメラ運営サイトにアクセスした現アクセス数を演算し、昨日の上記時間帯に上記１つのカメラ運営サイトにアクセスした数と、一昨日の上記時間帯に上記１つのカメラ運営サイトにアクセスした数との平均アクセス数を演算し、上記現アクセス数から上記平均アクセス数を差し引いた差分アクセス数を演算し、上記１つのカメラ運営サイト以外のカメラ運営サイトについても、差分アクセス数を演算し、差分アクセス数の多い順に、カメラ運営サイトの名称等を表示するものである。【選択図】　図１
2004021472.tif 000002
【特許請求の範囲】
【請求項１】
ネットワークを介して、複数のカメラ運営サイトのそれぞれへのアクセス数を取得するアクセス数取得手段と；
上記複数のカメラ運営サイトのうちの所定のカメラ運営サイトについて、第１の所定の日の所定時間帯におけるアクセス数と、第２の所定の日の上記所定時間帯におけるアクセス数との平均アクセス数を演算し、上記所定のカメラ運営サイト以外のカメラ運営サイトについても、上記平均アクセス数を演算する平均アクセス数演算手段と；
上記所定のカメラ運営サイトについて、本日の上記所定時間帯におけるアクセス数である現アクセス数を演算し、上記所定のカメラ運営サイト以外のカメラ運営サイトについても、上記現アクセス数を演算する現アクセス数演算手段と；
上記所定のカメラ運営サイトについて、上記現アクセス数演算手段が演算した上記現アクセス数から、上記平均アクセス数演算手段が演算した上記平均アクセス数を差し引いて差分アクセス数を演算し、上記所定のカメラ運営サイト以外のカメラ運営サイトについても、上記差分アクセス数を演算する差分アクセス数演算手段と；
上記差分アクセス数演算手段が演算した差分アクセス数が大きいカメラ運営サイトの順に、カメラ運営サイトのＩＤを表示するカメラ運営サイトＩＤ表示手段と；
を有することを特徴とするカメラ運営サイトの人気順表示装置。
【請求項２】
ネットワークを介して、複数のカメラ運営サイトのそれぞれへのアクセス数を取得するアクセス数取得段階と；
上記複数のカメラ運営サイトのうちの所定のカメラ運営サイトについて、第１の所定の日の所定時間帯におけるアクセス数と、第２の所定の日の上記所定時間帯におけるアクセス数との平均アクセス数を演算し、上記所定のカメラ運営サイト以外のカメラ運営サイトについても、上記平均アクセス数を演算する平均アクセス数演算段階と；
上記所定のカメラ運営サイトについて、本日の上記所定時間帯におけるアクセス数である現アクセス数を演算し、上記所定のカメラ運営サイト以外のカメラ運営サイトについても、上記現アクセス数を演算する現アクセス数演算段階と；
上記所定のカメラ運営サイトについて、上記現アクセス数演算段階で演算された上記現アクセス数から、上記平均アクセス数演算段階で演算された上記平均アクセス数を差し引いて差分アクセス数を演算し、上記所定のカメラ運営サイト以外のカメラ運営サイトについても、上記差分アクセス数を演算する差分アクセス数演算段階と；
上記差分アクセス数演算段階で演算された差分アクセス数が大きいカメラ運営サイトの順に、カメラ運営サイトのＩＤを表示するカメラ運営サイトＩＤ表示段階と；
を有することを特徴とするカメラ運営サイトの人気順表示方法。
【発明の詳細な説明】
【０００１】
【発明の属する技術分野】
本発明は、映像情報のアクセス数の高いカメラ運営サイト、すなわち、人気の高いカメラ運営サイトを自動的に検出し、特定し、人気の高い順にカメラ運営サイトのＩＤを表示する映像情報提供装置に関する。
【０００２】
【従来の技術】
従来、カメラ運営サイトは、様々の対象を撮影するサイトであり、山、川、海等の風景、サッカー、野球、バスケット等のスポーツ、鳥、犬、虫等の動物、絵画、彫刻等の芸術作品等々、その撮影対象を、カメラ運営者が自由に決定することができる。
【０００３】
上記カメラ運営サイトからの映像をユーザが端末で見る場合、そのユーザが、多数のカメラ運営サイトから、１つを指定し、この指定されたカメラ運営サイトから配信される映像を見る。
【０００４】
この場合、そのときに人気の高い（面白い）カメラ運営サイトが他に存在したとしても、その面白いカメラ運営サイトを自分で選択しない限り、現在面白い映像が配信されていることを認識できない。
【０００５】
【発明が解決しようとする課題】
上記のように、従来の装置は、所定の時点で、人気がある面白い映像を配信しているカメラ運営サイトが存在していても、その面白い映像の配信を知ることができず、その結果、面白い映像を見逃すという問題がある。
【０００６】
また、複数のカメラ運営サイトのそれぞれへのアクセス数を集計し、アクセス数が多いカメラ運営サイトの順に、そのＩＤを表示することができたとしても、それは、互いに異なるカメラ運営サイトにおけるアクセス数同士を比較して、アクセス数の多いものが、面白い映像を配信しているカメラ運営サイトであると考えるものである。
【０００７】
しかし、アクセス数が多いカメラ運営サイトから配信されている映像が、今現在面白い映像を配信しているとは限らないという問題がある。つまり、アクセス数を比較した時点では、面白い映像を配信していたとしても、今現在では、面白い映像を配信しているという保証はなく、また、面白い映像を配信している可能性が高いとは言えないという問題がある。
【０００８】
本発明は、人気がある（面白い）カメラ運営サイトを見逃すことがないカメラ運営サイトの人気順表示装置およびカメラ運営サイトの人気順表示方法を提供することを目的とするものである。
【０００９】
【課題を解決するための手段】
本発明は、直近の時間帯において、１つのカメラ運営サイトにアクセスした現アクセス数を演算し、昨日の上記時間帯に上記１つのカメラ運営サイトにアクセスした数と、一昨日の上記時間帯に上記１つのカメラ運営サイトにアクセスした数との平均アクセス数を演算し、上記現アクセス数から上記平均アクセス数を差し引いた差分アクセス数を演算し、上記１つのカメラ運営サイト以外のカメラ運営サイトについても、差分アクセス数を演算し、差分アクセス数の多い順に、カメラ運営サイトの名称等を表示するものである。
【００１０】
【発明の実施の形態および実施例】
図１は、本発明の一実施例であるカメラ運営サイトの人気順表示装置２０を示すブロック図であり、複数のカメラ運営サイトＣＴ１〜ＣＴｎとともに示す図である。
【００１１】
カメラ運営サイトの人気順表示装置２０は、ネットワークＮＷを介して、第１のカメラ運営サイトＣＴ１と、第２のカメラ運営サイトＣＴ２と、……、第ｎのカメラ運営サイトＣＴｎとに接続される。
【００１２】
第１のカメラ運営サイトＣＴ１は、カメラ映像を撮影するカメラ１１と、カメラ運営サイトにアクセスしたユーザ数をカウントするアクセス数取得手段１２とを有する。第２のカメラ運営サイトＣＴ２、……、第ｎのカメラ運営サイトＣＴｎのそれぞれの構成は、第１のカメラ運営サイトＣＴ１と同様である。
【００１３】
カメラ運営サイトの人気順表示装置２０は、アクセス数集計手段２１と、アクセス数蓄積手段２２と、アクセス数解析手段２３と、表示手段２４とを有する。
【００１４】
アクセス数集計手段２１は、カメラ運営サイトＣＴ１〜ＣＴｎから、それぞれのアクセス数を取得し、集計する。
【００１５】
つまり、アクセス数集計手段２１は、ネットワークを介して、複数のカメラ運営サイトのそれぞれへのアクセス数を取得するアクセス数取得手段の例である。
【００１６】
また、アクセス数集計手段２１は、複数のカメラ運営サイトのうちの所定のカメラ運営サイトについて、第１の所定の日の所定時間帯におけるアクセス数Ｎ１と、第２の所定の日の上記所定時間帯におけるアクセス数Ｎ２との平均アクセス数Ａｖを演算し、上記所定のカメラ運営サイト以外のカメラ運営サイトについても、上記平均アクセス数を演算する平均アクセス数演算手段の例である。
【００１７】
なお、平均アクセス数Ａｖ（１）は、第１のカメラ運営サイトＣＴ１における平均アクセス数であり、……、平均アクセス数Ａｖ（ｎ）は、第ｎのカメラ運営サイトＣＴｎにおける平均アクセス数である。
【００１８】
また、アクセス数集計手段２１は、上記所定のカメラ運営サイトについて、本日の上記所定時間帯におけるアクセス数である現アクセス数Ｖｔを演算し、上記所定のカメラ運営サイト以外のカメラ運営サイトについても、上記現アクセス数を演算する現アクセス数演算手段の例である。
【００１９】
なお、現アクセス数Ｎｔ（１）は、第１のカメラ運営サイトＣＴ１における現アクセス数であり、……、現アクセス数Ｎｔ（ｎ）は、第ｎのカメラ運営サイトＣＴｎにおける現アクセス数である。
【００２０】
アクセス数蓄積手段２２は、アクセス数集計手段２１が集計した平均アクセス数Ａｖ（１）〜Ａｖ（ｎ）を蓄積する手段である。
【００２１】
アクセス数解析手段２３は、アクセス数集計手段２１から受信した現アクセス数Ｖｔ（１）〜Ｖｔ（ｎ）と、アクセス数蓄積手段２２が蓄積しているアクセス数とに基づいて、差分アクセス数Ｄ（１）〜Ｄ（ｎ）を演算し、すなわち、カメラ運営サイトの名称等のＩＤを表示する場合における表示順位を決める手段である。
【００２２】
つまり、アクセス数解析手段２３は、上記所定のカメラ運営サイトについて、上記現アクセス数演算手段が演算した上記現アクセス数Ｎｔから、上記平均アクセス数演算手段が演算した上記平均アクセス数Ａｖを差し引いて差分アクセス数を演算し、上記所定のカメラ運営サイト以外のカメラ運営サイトについても、上記差分アクセス数Ｄを演算する差分アクセス数演算手段の例である。
【００２３】
なお、差分アクセス数Ｄ（１）は、第１のカメラ運営サイトＣＴ１における差分アクセス数であり、……、差分アクセス数Ｄ（ｎ）は、第ｎのカメラ運営サイトＣＴｎにおける差分アクセス数である。
【００２４】
表示手段２４は、決められた表示順位に従って、カメラ運営サイトのＩＤを表示する手段である。カメラ運営サイトのＩＤは、カメラ運営サイトの名称、ニックネーム、設置場所、通し番号等である。
【００２５】
そして、表示手段２４は、上記差分アクセス数演算手段が演算した差分アクセス数が大きいカメラ運営サイトの順に、カメラ運営サイトのＩＤを表示するカメラ運営サイトＩＤ表示手段の例である。
【００２６】
次に、上記実施例の動作について説明する。
【００２７】
図２は、上記実施例における動作を示すフローチャートである。
【００２８】
カメラ運営サイトの人気順表示装置２０におけるアクセス集計手段２１は、カメラ運営サイトＣＴ１〜ＣＴｎのそれぞれから、リアルタイムにアクセス数情報を取得する（Ｓ１）。上記アクセス数情報は、１分間、５分間等の任意に定められた単位時間当たりのアクセス数と、アクセス数を取得したカメラ運営サイトのＩＤと、アクセス数を取得した時間情報とを含む情報である。
【００２９】
そして、アクセス数集計手段２１が、上記取得したアクセス数情報に基づいて、各カメラ運営サイトの１日前の所定時間帯におけるアクセス数Ｎ１を集計する（Ｓ２）。カメラ運営サイトの人気順位を表示しようとする時刻が、たとえば、午後９時１０分であるとすれば、直近の１時間であるたとえば午後８時〜９時の１時間を上記所定時間帯として、１日前の所定時間帯におけるアクセス数Ｎ１を集計する。
【００３０】
なお、上記所定時間帯は、２時間、３時間等、任意の長さの時間であってもよく、また、定時から始まる必要はなく、たとえば、８時１０分、８時１５分等のような時刻に開始される時間帯であってもよい。
【００３１】
また、アクセス数集計手段２１が、上記取得したアクセス数情報に基づいて、各カメラ運営サイトの２日前の所定時間帯におけるアクセス数Ｎ２を集計する（Ｓ３）。この場合も、１日前の所定時間帯におけるアクセス数Ｎ１を演算したときに使用した時間帯と同じ午後８時〜９時の１時間を上記所定時間帯として、アクセス数Ｎ２を集計する。
【００３２】
そして、アクセス数集計手段２１が、各カメラ運営サイトの平均アクセス数Ａｖを演算する（Ｓ４）。平均アクセス数Ａｖは、１日前の所定時間帯におけるアクセス数Ｎ１と、２日前の所定時間帯におけるアクセス数Ｎ２との平均である。
【００３３】
さらに、アクセス数集計手段２１が、各カメラ運営サイトの現アクセス数Ｎｔを演算する（Ｓ５）。現アクセス数Ｎｔは、本日の上記所定時間帯におけるアクセス数である。この場合も、１日前の所定時間帯におけるアクセス数Ｎ１と、２日前の所定時間に置けるアクセス数Ｎ２とを演算したときに使用した時間帯と同じ午後８時〜９時の１時間を上記所定時間帯として、現アクセス数Ｎｔを演算する。
【００３４】
つまり、現アクセス数Ｎｔと、１日前の所定時間帯におけるアクセス数Ｎ１と、２日前の所定時間帯におけるアクセス数Ｎ２とは、互いに同じ時刻に始まり、同じ長さである時間帯について求めたアクセス数である必要がある。
【００３５】
その後、アクセス数解析手段２３が、各カメラ運営サイトの差分アクセス数Ｄを演算する（Ｓ６）。差分アクセス数Ｄは、所定のカメラ運営サイトにおける現アクセス数Ｎｔから、その所定カメラ運営サイトにおける平均アクセス数Ａｖを差し引いた数である。
【００３６】
図３は、上記実施例において、現アクセス数Ｎｔと、１日前の所定時間帯におけるアクセス数Ｎ１と、２日前の所定時間帯におけるアクセス数Ｎ２と、平均アクセス数Ａｖと、差分アクセス数Ｄとの具体例を、カメラ運営サイト毎に示す図である。
【００３７】
そして、アクセス数解析手段２３が、差分アクセス数Ｄが多い順に、カメラ運営サイトのＩＤ（カメラ運営サイトの名称、ニックネーム、設置場所、通し番号等）を並べる（Ｓ７）。
【００３８】
この場合、演算された複数の差分アクセス数Ｄのうちで、同じ値を有する差分アクセス数Ｄが存在していなければ（Ｓ８）、アクセス数解析手段２３が並べた順（人気が高い順）で、表示手段２４が、カメラ運営サイトのＩＤを表示する（Ｓ１０）。
【００３９】
図４は、上記実施例において、カメラ運営サイトの人気順位を表示装置２４が表示している例を示す図である。
【００４０】
このようしてカメラ運営サイトのＩＤを表示すると、複数のカメラ運営サイトについて、その人気の度合いをリアルタイムで把握することができ、したがって、人気がある（面白い）カメラ運営サイトを見逃すことがない。
【００４１】
一方、演算された複数の差分アクセス数Ｄのうちで、同じ値を有する差分アクセス数Ｄが存在していれば（Ｓ８）、上記差分アクセス数Ｄが同じ値であるカメラ運営サイトについては、現アクセス数Ｎｔが多い順に、カメラ運営サイトのＩＤを並べ（Ｓ９）、このようにして並べられた順で、表示手段２４が、カメラ運営サイトのＩＤを表示する（Ｓ１０）。
【００４２】
つまり、上記実施例は、現アクセス数と過去の平均アクセス数との差に応じて、カメラ運営サイトへのアクセスランキングを作成する実施例である。
【００４３】
上記実施例によれば、各カメラ運営サイトのいつもの平均アクセス数よりも、今の現アクセス数が多い順にカメラ運営サイトを、自動的に並べ、表示することができ、このときに、平均アクセス数よりも現アクセス数が多いカメラ運営サイト程、その映像がユーザを惹きつける度合いが高いと考えられる。この結果、ユーザは、人気の高いサイトを見逃すことがなくなるというメリットがある。
【００４４】
また、上記実施例において、アクセス数（人気の度合い）に応じた料金を、ユーザがカメラ運営サイトの運営者に支払うようにしてもよい。
【００４５】
なお、図２に示す処理をコンピュータプログラムで表現するようにしてもよい。この場合、上記表現したコンピュータプログラムをＦＤ、ＣＤ、ＨＤ、半導体メモリ等に記録するようにしてもよい。
【００４６】
上記実施例では、平均アクセス数Ａｖを計算する場合、１日前の所定時間帯におけるアクセス数Ｎ１と、２日前の所定時間帯におけるアクセス数Ｎ２との平均をとっているが、１日前と３日前との組み合わせのように、１日前と２日前との組み合わせ以外の組み合わせで平均をとるようにしてもよい。
【００４７】
また、平均アクセス数Ａｖを計算する場合、３日以上のそれぞれの日の所定時間帯におけるアクセス数の平均をとるようにしてもよい。
【００４８】
【発明の効果】
本発明によれば、人気がある（面白い）カメラ運営サイトを見逃すことがないという効果を奏する。
【図面の簡単な説明】
【図１】本発明の一実施例であるカメラ運営サイトの人気順表示装置２０を示すブロック図であり、複数のカメラ運営サイトＣＴ１〜ＣＴｎとともに示す図である。
【図２】上記実施例における動作を示すフローチャートである。
【図３】上記実施例において、現アクセス数Ｎｔと、１日前の所定時間帯におけるアクセス数Ｎ１と、２日前の所定時間帯におけるアクセス数Ｎ２と、平均アクセス数Ａｖと、差分アクセス数Ｄとの具体例を、カメラ運営サイト毎に示す図である。
【図４】上記実施例において、カメラ運営サイトの人気順位を表示装置２４が表示している例を示す図である。
【符号の説明】
ＣＴ１〜ＣＴｎ…カメラ運営サイト、
１１…カメラ、
１２…アクセス数取得手段、
２０…カメラ運営サイトの人気順表示装置、
２１…アクセス数集計手段、
２２…アクセス数蓄積手段、
２３…アクセス数解析手段、
２４…表示手段。
【図１】
2004021472.tif 000003
【図２】
2004021472.tif 000004
【図３】
2004021472.tif 000005
【図４】
2004021472.tif 000006